(57)【要約】【課題】本発明の目的は、充電装置が蓄電装置を充電する際の電圧値を制御することにより蓄電装置の寿命を延ばすことが可能な架線レス交通車両の充電方法及び充電システムを提供することである。【解決手段】本発明では、蓄電装置５を搭載した車両１が軌道２上の駅で停車した際に車両１の蓄電装置５を地上側に設けられた充電装置９により充電する架線レス交通車両の充電方法において、充電装置９が、蓄電装置５の最高電圧許容値ＶＨ近傍の電圧設定値ＶＳで蓄電装置５を充電する。【選択図】  図２
2010207060.tif 000002
【特許請求の範囲】
【請求項１】
蓄電装置を搭載した車両が軌道上の駅で停車した際に前記車両の前記蓄電装置を地上側に設けられた充電装置により充電する架線レス交通車両の充電方法において、
前記充電装置が、前記蓄電装置の最高電圧許容値近傍の電圧設定値で前記蓄電装置を充電することを特徴とする架線レス交通車両の充電方法。
【請求項２】
前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電することを特徴とする請求項１に記載の架線レス交通車両の充電方法。
【請求項３】
蓄電装置を搭載した車両が軌道上の駅で停車した際に前記車両の前記蓄電装置を地上側に設けられた充電装置により充電する架線レス交通車両の充電システムにおいて、
前記充電装置が、制御手段を備えており、該制御手段が、前記蓄電装置の最高電圧許容値近傍の電圧設定値で前記蓄電装置を充電するように制御することを特徴とする架線レス交通車両の充電システム。
【請求項４】
前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御することを特徴とする請求項３に記載の架線レス交通車両の充電システム。
【発明の詳細な説明】
【技術分野】
【０００１】
本発明は、蓄電装置を搭載した車両が軌道上を走行するように構成された架線レス交通システムに関し、詳しくは、架線レス交通車両における蓄電装置を充電する充電方法及び充電システムに関する。
【背景技術】
【０００２】
近年、設定された軌道上を車両が走行する交通システムにおいて、車両が架線からの電力の供給を受けずに走行するように構成された架線レス交通システムが実用化されている。
【０００３】
このような架線レス交通システムの車両は、電力を蓄電する蓄電装置（例えば、バッテリ）を備えており、車両は、駅に停車した際に電力を蓄電装置に蓄電し、設定された軌道上を走行するようになっている。一方、軌道上の各駅には充電装置が設けられており、車両が駅に停車した際には、充電装置が車両の充電装置へ電力を供給するようになっている（例えば、特許文献１）。
【０００４】
例えば、特許文献１においては、架線レス交通システムの車両が、蓄電装置と、蓄電装置に対する充電電圧及び充電時間等を制御する車載制御装置とを備えている。一方、軌道上の駅には給電施設（充電装置）が設けられており、車両が受電のために駅に停止した際に、給電施設が、車両に設置された車載制御装置の指令により蓄電装置への充電を開始するようになっている。そして、蓄電装置の電力蓄積量が所定値になった場合には、車載制御装置が受電停止命令を出すことにより蓄電装置への充電が停止されるようになっている。
【先行技術文献】
【特許文献】
【０００５】
【特許文献１】特開２０００−８３３０２号公報
【発明の概要】
【発明が解決しようとする課題】
【０００６】
ところで、通常、蓄電装置には、最高電圧許容値と最低電圧許容値とが予め設定されている。蓄電装置においては、蓄電装置の電圧値が最高電圧許容値と最低電圧許容値との間の範囲を外れるような状況になると、蓄電装置内のインターロック機能が作動し、その後、蓄電装置を使用することができなくなってしまう。したがって、車両の運行中においては、蓄電装置の電圧値が最高電圧許容値と最低電圧許容値との間で維持される必要がある。
【０００７】
しかしながら、駅を出発する時点で蓄電装置の電圧値が低いと、以下のような問題が生じる可能性がある。
図４に示すように、車両が駅から出発すると、車両を力行させる際に蓄電装置が大きな電流を出力するので、蓄電装置の電圧値Ｖが最低電圧許容値ＶＬに向かって大きく下がることになる。図４の例では、駅を出発する時点での蓄電装置の電圧値Ｖが低い状態にあるので、車両を力行させる際に蓄電装置の電圧値Ｖが大きく下がると、蓄電装置の電圧値Ｖと最低電圧許容値ＶＬとの間のマージンＶＬｍが小さくなる。
【０００８】
このように、電圧値Ｖと最低電圧許容値ＶＬとの間のマージンＶＬｍが小さくなると、使用状況や環境により蓄電装置の電圧値Ｖが最低電圧許容値ＶＬより低くなり、これにより、インターロック機能が作動し、蓄電装置が使用できなくなる可能性が高くなる。したがって、蓄電装置を取り替えなければならず、蓄電装置を長期間にわたって使用することができなかった。
【０００９】
また、別の例として、高低差がある駅の間において車両を運行すると、以下のような問題が生じる可能性がある。
例えば、海抜の高い駅から海抜の低い駅に向かって車両が運行される場合、車両が海抜の高い駅から出発すると、車両は海抜の低い方へ向かって走行するので、車両にブレーキをかけるために大きな力が必要となる。したがって、図５に示すように、回生ブレーキにより蓄電装置へ戻される電流も大きくなるので、蓄電装置の電圧値Ｖが最高電圧許容値ＶＨに向かって大きく上がることになる。図５に示すように、車両に回生ブレーキをかける際に蓄電装置の電圧値Ｖが大きく上がると、蓄電装置の電圧値Ｖが最高電圧許容値ＶＨより大きくなるおそれがある。
【００１０】
このように、電圧値Ｖが最高電圧許容値ＶＨより大きくなると、インターロック機能が作動し、蓄電装置が使用できなくなる。したがって、蓄電装置を取り替えなければならず、蓄電装置を長期間にわたって使用することができなかった。
【００１１】
本発明はこのような実情に鑑みてなされたものであって、その目的は、充電装置が蓄電装置を充電する際の電圧値を制御することにより蓄電装置の寿命を延ばすことが可能な架線レス交通車両の充電方法及び充電システムを提供することである。
【課題を解決するための手段】
【００１２】
上記従来技術の有する課題を解決するために、本発明の実施態様によれば、蓄電装置を搭載した車両が軌道上の駅で停車した際に前記車両の前記蓄電装置を地上側に設けられた充電装置により充電する架線レス交通車両の充電方法において、前記充電装置が、前記蓄電装置の最高電圧許容値近傍の電圧設定値で前記蓄電装置を充電する。
【００１３】
また、本発明の別の実施態様によれば、前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電する。
【００１４】
また、本発明の別の実施態様によれば、蓄電装置を搭載した車両が軌道上の駅で停車した際に前記車両の前記蓄電装置を地上側に設けられた充電装置により充電する架線レス交通車両の充電システムにおいて、前記充電装置が、制御手段を備えており、該制御手段が、前記蓄電装置の最高電圧許容値近傍の電圧設定値で前記蓄電装置を充電するように制御する。
【００１５】
また、本発明の別の実施態様によれば、前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御する。
【発明の効果】
【００１６】
また、本発明に係る架線レス交通車両の充電方法によれば、蓄電装置を搭載した車両が軌道上の駅で停車した際に前記車両の前記蓄電装置を地上側に設けられた充電装置により充電する架線レス交通車両の充電方法において、前記充電装置が、前記蓄電装置の最高電圧許容値近傍の電圧設定値で前記蓄電装置を充電するので、駅から出発する時点の蓄電装置の電圧値が従来に比べて高くなる。これにより、車両が駅から出発した際に蓄電装置の電圧値が最低電圧許容値に向かって大きく下がった場合でも、蓄電装置の電圧値が蓄電装置の最低電圧許容値に対して十分なマージンを確保することができ、使用状況や環境により蓄電装置の電圧値が最低電圧許容値より小さくなるおそれがない。
このように、車両が複数の駅間を走行する場合において蓄電装置を許容電圧値の範囲内でより長い期間にわたって使用できるようになり、蓄電装置の寿命（耐用期間）を延ばすことができる。
【００１７】
また、本発明に係る架線レス交通車両の充電方法によれば、前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するので、例えば、車両が海抜の高い駅から海抜の低い駅に向かって出発した際に蓄電装置の電圧値が最高電圧許容値に向かって大きく上がった場合でも、蓄電装置の電圧値は蓄電装置の最高電圧許容値に対して十分なマージンを確保することができ、使用状況や環境により蓄電装置の電圧値が最高電圧許容値より大きくなるおそれがない。
このように、車両が高低差のある複数の駅間を走行する場合において蓄電装置を許容電圧値の範囲内でより長い期間にわたって使用できるようになり、蓄電装置の寿命を延ばすことができる。
【００１８】
また、本発明に係る架線レス交通車両の充電システムによれば、蓄電装置を搭載した車両が軌道上の駅で停車した際に前記車両の前記蓄電装置を地上側に設けられた充電装置により充電する架線レス交通車両の充電システムにおいて、前記充電装置が、制御手段を備えており、該制御手段が、前記蓄電装置の最高電圧許容値近傍の電圧設定値で前記蓄電装置を充電するように制御するので、駅から出発する時点の蓄電装置の電圧値が従来に比べて高くなる。これにより、車両が駅から出発した際に蓄電装置の電圧値が最低電圧許容値に向かって大きく下がった場合でも、蓄電装置の電圧値が蓄電装置の最低電圧許容値に対して十分なマージンを確保することができ、使用状況や環境により蓄電装置の電圧値が最低電圧許容値より小さくなるおそれがない。
このように、車両が複数の駅間を走行する場合において蓄電装置を許容電圧値の範囲内でより長い期間にわたって使用できるようになり、蓄電装置の寿命を延ばすことができる。
【００１９】
また、本発明に係る架線レス交通車両の充電システムによれば、前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御するので、例えば、車両が海抜の高い駅から海抜の低い駅に向かって出発した際に蓄電装置の電圧値が最高電圧許容値に向かって大きく上がった場合でも、蓄電装置の電圧値は蓄電装置の最高電圧許容値に対して十分なマージンを確保することができ、使用状況や環境により蓄電装置の電圧値が最高電圧許容値より大きくなるおそれがない。
このように、車両が高低差のある複数の駅間を走行する場合において蓄電装置を許容電圧値の範囲内でより長い期間にわたって使用できるようになり、蓄電装置の寿命を延ばすことができる。
【図面の簡単な説明】
【００２０】
【図１】本発明の実施形態に係る架線レス交通システムの車両を走行方向から見た図である。
【図２】本発明の第１実施形態に係る架線レス交通車両の充電方法を示した図であり、車両が走行及び停車（充電）している際の蓄電装置の電圧値と時間との関係を示した図である。
【図３】本発明の第２実施形態に係る架線レス交通車両の充電方法を示した図であり、車両が海抜の高い駅から海抜の低い駅へ向かって出発した場合において、車両が走行及び停車（充電）している際の蓄電装置の電圧値と時間との関係を示した図である。
【図４】従来の架線レス交通車両の充電方法において、車両が駅を出発した場合の蓄電装置の電圧値と時間との関係を示した図である。
【図５】従来の架線レス交通車両の充電方法において、車両が海抜の高い駅から海抜の低い駅へ向かって出発した場合の蓄電装置の電圧値と時間との関係を示した図である。
【発明を実施するための形態】
【００２１】
以下、本発明の実施形態に係る架線レス交通システムの車両を、図面を参照しながら説明する。図１は、本発明の実施形態に係る架線レス交通システムの車両を走行方向から見た図である。
【００２２】
図１に示すように、本発明の実施形態に係る架線レス交通システムの車両１は、予め設定された軌道２上を走行するために台車３を備えており、この台車３の側面３ａには、電力を受電するための集電接触子４が設けられている。また、台車３は、集電接触子４で受電した電力を蓄電する蓄電装置５を備えており、車両１は、駅（図示せず）に停車した際に電力を蓄電装置５に蓄電し、設定された軌道２上を走行するようになっている。
【００２３】
また、蓄電装置５は、許容電圧値として最高電圧許容値ＶＨと最低電圧許容値ＶＬとが予め設定されている（図２及び３参照）。蓄電装置５は、電圧値が継続して最高電圧許容値ＶＨと最低電圧許容値ＶＬとの間の範囲外になると、インターロック機能（図示せず）が作動し、電力を供給できないようになっている。
【００２４】
一方、地上側には、軌道２に隣接して立設された支持フレーム６が設けられている。支持フレーム６には、車両１が停車した際に集電接触子４と対向する位置に給電接触子７が設けられている。給電接触子７は、地中に埋設された電力線８により地上側に設けられた充電装置９に接続されている。この充電装置９は、制御手段１０を備えており、この制御手段１０は、充電装置９から蓄電装置５へ送られる電力を制御するようになっている。
かかる構成により、車両１が駅に停車した際には、集電接触子４と給電接触子７とが接触することにより、地上側の充電装置９から供給される電力が蓄電装置５に蓄電されることになる。
【００２５】
［第１実施形態］
以下、本発明の第１実施形態に係る架線レス交通車両の充電方法を、図面を参照しながら説明する。図２は、本発明の第１実施形態に係る架線レス交通車両の充電方法を示した図であり、車両が走行及び停車（充電）している際の蓄電装置５の電圧値Ｖと時間ｔとの関係を示した図である。
【００２６】
図２に示すように、本実施形態では、充電装置９の制御手段１０が、蓄電装置５の最高電圧許容値ＶＨ近傍の電圧設定値ＶＳで蓄電装置５を充電するように制御している。すなわち、本実施形態では、充電装置９が、蓄電装置５の最高電圧許容値ＶＨ近傍の電圧設定値ＶＳで蓄電装置５を充電する。
なお、充電は、通常、ＣＣ−ＣＶ（定電流−定電圧）充電により行う。ここで、ＣＣ−ＣＶ充電とは、始めにＣＣ（Constant Current）モードで、設定電圧（ＣＶ値）になるまで充電し、設定電圧に達したらＣＶ（Constant Voltage）モードに移行し、電流値が徐々に小さくなっていく充電方法である。本発明の電圧設定値ＶＳは、このＣＶ値のことを言う。図２では、充電直後にＣＶモードになった例を示している。
【００２７】
本実施形態に係る架線レス交通システムでは、車両１が走行する軌道２が予め決まっているので、各駅の間において蓄電装置５の電圧値Ｖが力行時や回生ブレーキ時にどのように変動するかは予め知ることができる。したがって、充電装置９における電圧設定値ＶＳは、各駅の間における蓄電装置５の電圧値Ｖの変動状況に基づいて決定される。例えば、電圧設定値ＶＳは、以下の式を満たすような値で設定される。
（数１）
ＶＳｍ  ≦  ＶＬｍ
ここで、図２に示すように、ＶＳｍは、電圧設定値ＶＳと最高電圧許容値ＶＨとの間のマージンであり、ＶＬｍは、車両運行時の蓄電装置５の電圧値Ｖの最低値（力行時の電圧値）と最低電圧許容値ＶＬとの間のマージンである。
【００２８】
なお、本実施形態では、充電装置９が電圧設定値ＶＳで蓄電装置５を充電するが、上記数式１の条件を満たす電圧設定値ＶＳを固定して定電圧で充電する場合に限らず、上記数式１の条件を満たす範囲で電圧設定値ＶＳを変動させて蓄電装置５を充電してもよい。
【００２９】
本実施形態に係る架線レス交通車両の充電方法によれば、充電装置９が、蓄電装置５の最高電圧許容値ＶＨ近傍の電圧設定値ＶＳで蓄電装置５を充電するので、図２に示すように、駅から出発する時点の蓄電装置５の電圧値Ｖが従来（図４の場合）に比べて高くなる。これにより、車両１が駅から出発した際に蓄電装置５の電圧値Ｖが最低電圧許容値ＶＬに向かって大きく下がった場合でも、蓄電装置５の電圧値Ｖが蓄電装置５の最低電圧許容値ＶＬに対して十分なマージンＶＬｍを確保することができ、使用状況や環境により蓄電装置５の電圧値Ｖが最低電圧許容値ＶＬより小さくなるおそれがない。
このように、車両１が複数の駅間を走行する場合において蓄電装置５を許容電圧値の範囲内でより長い期間にわたって使用できるようになり、蓄電装置５の寿命（耐用期間）を延ばすことができる。
また、全般に電圧が高くなるので、その分電流値が小さくなり、消費電力が減るという省エネ効果を得ることができる。
【００３０】
［第２実施形態］
以下、本発明の第２実施形態に係る架線レス交通車両の充電方法を、図面を参照しながら説明する。図３は、本発明の第２実施形態に係る架線レス交通車両の充電方法を示した図であり、車両が走行及び停車（充電）している際の蓄電装置５の電圧値Ｖと時間ｔとの関係を示した図である。
【００３１】
図３に示すように、本実施形態では、充電装置９の制御手段１０が、電圧設定値ＶＳで蓄電装置５を充電するように制御している。すなわち、本実施形態では、充電装置９が電圧設定値ＶＳで蓄電装置を充電する。ここで、電圧設定値ＶＳは、車両１の力行時の蓄電装置５の電圧値Ｖが蓄電装置５の最低電圧許容値ＶＬより大きくなり且つ車両１の回生ブレーキ時の蓄電装置５の電圧値Ｖが蓄電装置５の最高電圧許容値ＶＨより小さくなるような電圧値で設定されている。
【００３２】
なお、本実施形態に係る架線レス交通システムでは、車両１が走行する軌道２が予め決まっているので、各駅の間において蓄電装置５の電圧値Ｖが力行時や回生ブレーキ時にどのように変動するかは予め知ることができる。したがって、充電装置９における電圧設定値ＶＳは、駅の間における蓄電装置５の電圧値Ｖの変動状況に基づいて決定される。例えば、電圧設定値ＶＳは、車両１の力行時に最低電圧許容値ＶＬに対して５〜３０％分のマージンＶＬｍが確保され、且つ車両１の回生ブレーキ時に最高電圧許容値ＶＨに対して５〜３０％分のマージンＶＨｍが確保されるような値で設定する。
【００３３】
また、本実施形態に係る制御方法は、上述した第１実施形態に係る方法と組み合わせることも可能である。
例えば、第１実施形態に係る方法で蓄電装置５を充電しておき、回生ブレーキ時の電圧値Ｖが最高電圧許容値ＶＨに近づくような場合には、回生ブレーキ時のピークをカットして、最高電圧許容値ＶＨに対して５〜３０％分のマージンＶＨｍが確保されるように制御してもよい。ここでピークをカットする構成の例としては、抵抗器を積んでピークをカットする構成がある。
【００３４】
本実施形態に係る架線レス交通車両の充電方法によれば、充電装置９が、車両１の力行時の蓄電装置５の電圧値Ｖが蓄電装置５の最低電圧許容値ＶＬより大きくなり且つ車両１の回生ブレーキ時の蓄電装置５の電圧値Ｖが蓄電装置５の最高電圧許容値ＶＨより小さくなるような電圧設定値ＶＳで蓄電装置５を充電するので、例えば、図３に示すように、車両１が海抜の高い駅から海抜の低い駅に向かって出発した際に蓄電装置５の電圧値Ｖが最高電圧許容値ＶＨに向かって大きく上がった場合でも、蓄電装置５の電圧値Ｖは蓄電装置５の最高電圧許容値ＶＨに対して十分なマージンＶＨｍを確保することができ、使用状況や環境により蓄電装置５の電圧値Ｖが最高電圧許容値ＶＨより大きくなるおそれがない。
また、車両１が駅から出発した際に蓄電装置５の電圧値Ｖが最低電圧許容値ＶＬに向かって大きく下がった場合でも、蓄電装置５の電圧値Ｖが蓄電装置５の最低電圧許容値ＶＬに対して十分なマージンＶＬｍを確保することができ、使用状況や環境により蓄電装置５の電圧値Ｖが最低電圧許容値ＶＬより小さくなるおそれがない。
このように、車両１が高低差のある複数の駅間を走行する場合において蓄電装置５を許容電圧値の範囲内でより長い期間にわたって使用できるようになり、蓄電装置５の寿命を延ばすことができる。
【００３５】
以上、本発明の実施の形態につき述べたが、本発明は既述の実施形態に限定されるものでなく、本発明の技術的思想に基づいて各種の変形及び変更が可能である。
【００３６】
上述の実施形態では、車両１の蓄電装置５を接触式で充電するように構成しているが、充電装置９を高周波電力を供給する充電電源とし、非接触式で車両１の蓄電装置５を充電するように構成してもよい。
【符号の説明】
【００３７】
１  車両
２  軌道
３  台車
３ａ  台車の側面
４  集電接触子
５  蓄電装置
６  支持フレーム
７  給電接触子
８  電力線
９  充電装置
１０  制御手段
Ｖ  蓄電装置の電圧値
ＶＬ  最低電圧許容値
ＶＨ  最高電圧許容値
ＶＳ  電圧設定値
ＶＬｍ  蓄電装置の電圧値と最低電圧許容値との間のマージン
ＶＨｍ  蓄電装置の電圧値と最高電圧許容値との間のマージン
ＶＳｍ  電圧設定値と最高電圧許容値との間のマージン
【図１】
2010207060.tif 000003
【図２】
2010207060.tif 000004
【図３】
2010207060.tif 000005
【図４】
2010207060.tif 000006
【図５】
2010207060.tif 000007
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
蓄電装置を搭載した車両が軌道上の駅で停車した際に前記車両の前記蓄電装置を地上側に設けられた充電装置により充電する架線レス交通車両の充電方法において、
前記充電装置が、前記蓄電装置の最高電圧許容値近傍の電圧設定値で前記蓄電装置を充電し、
前記電圧設定値が以下の第１の式を満たす値で設定されることを特徴とする架線レス交通車両の充電方法。
［第１の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
【請求項２】
前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電し、
前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値であることを特徴とする請求項１に記載の架線レス交通車両の充電方法。
【請求項３】
蓄電装置を搭載した車両が軌道上の駅で停車した際に前記車両の前記蓄電装置を地上側に設けられた充電装置により充電する架線レス交通車両の充電システムにおいて、
前記充電装置が、制御手段を備えており、該制御手段が、前記蓄電装置の最高電圧許容値近傍の電圧設定値で前記蓄電装置を充電するように制御し、
前記電圧設定値が以下の第２の式を満たす値で設定されることを特徴とする架線レス交通車両の充電システム。
［第２の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
【請求項４】
前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御し、
前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値であることを特徴とする請求項３に記載の架線レス交通車両の充電システム。
【手続補正２】
【補正対象書類名】明細書
【補正対象項目名】００１２
【補正方法】変更
【補正の内容】
【００１２】
上記従来技術の有する課題を解決するために、本発明の実施態様によれば、蓄電装置を搭載した車両が軌道上の駅で停車した際に前記車両の前記蓄電装置を地上側に設けられた充電装置により充電する架線レス交通車両の充電方法において、前記充電装置が、前記蓄電装置の最高電圧許容値近傍の電圧設定値で前記蓄電装置を充電し、前記電圧設定値が以下の第１の式を満たす値で設定される。
［第１の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
【手続補正３】
【補正対象書類名】明細書
【補正対象項目名】００１３
【補正方法】変更
【補正の内容】
【００１３】
また、本発明の別の実施態様によれば、前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電し、前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値である。
【手続補正４】
【補正対象書類名】明細書
【補正対象項目名】００１４
【補正方法】変更
【補正の内容】
【００１４】
また、本発明の別の実施態様によれば、蓄電装置を搭載した車両が軌道上の駅で停車した際に前記車両の前記蓄電装置を地上側に設けられた充電装置により充電する架線レス交通車両の充電システムにおいて、前記充電装置が、制御手段を備えており、該制御手段が、前記蓄電装置の最高電圧許容値近傍の電圧設定値で前記蓄電装置を充電するように制御し、前記電圧設定値が以下の第２の式を満たす値で設定される。
［第２の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
【手続補正５】
【補正対象書類名】明細書
【補正対象項目名】００１５
【補正方法】変更
【補正の内容】
【００１５】
また、本発明の別の実施態様によれば、前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御し、前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値である。
【手続補正６】
【補正対象書類名】明細書
【補正対象項目名】００１６
【補正方法】変更
【補正の内容】
【００１６】
また、本発明に係る架線レス交通車両の充電方法によれば、蓄電装置を搭載した車両が軌道上の駅で停車した際に前記車両の前記蓄電装置を地上側に設けられた充電装置により充電する架線レス交通車両の充電方法において、前記充電装置が、前記蓄電装置の最高電圧許容値近傍の電圧設定値で前記蓄電装置を充電し、前記電圧設定値が以下の第１の式を満たす値で設定される。
［第１の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
本発明によれば、駅から出発する時点の蓄電装置の電圧値が従来に比べて高くなる。これにより、車両が駅から出発した際に蓄電装置の電圧値が最低電圧許容値に向かって大きく下がった場合でも、蓄電装置の電圧値が蓄電装置の最低電圧許容値に対して十分なマージンを確保することができ、使用状況や環境により蓄電装置の電圧値が最低電圧許容値より小さくなるおそれがない。
このように、車両が複数の駅間を走行する場合において蓄電装置を許容電圧値の範囲内でより長い期間にわたって使用できるようになり、蓄電装置の寿命（耐用期間）を延ばすことができる。
【手続補正７】
【補正対象書類名】明細書
【補正対象項目名】００１７
【補正方法】変更
【補正の内容】
【００１７】
また、本発明に係る架線レス交通車両の充電方法によれば、前記充電装置が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電し、前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値であるので、例えば、車両が海抜の高い駅から海抜の低い駅に向かって出発した際に蓄電装置の電圧値が最高電圧許容値に向かって大きく上がった場合でも、蓄電装置の電圧値は蓄電装置の最高電圧許容値に対して十分なマージンを確保することができ、使用状況や環境により蓄電装置の電圧値が最高電圧許容値より大きくなるおそれがない。
このように、車両が高低差のある複数の駅間を走行する場合において蓄電装置を許容電圧値の範囲内でより長い期間にわたって使用できるようになり、蓄電装置の寿命を延ばすことができる。
【手続補正８】
【補正対象書類名】明細書
【補正対象項目名】００１８
【補正方法】変更
【補正の内容】
【００１８】
また、本発明に係る架線レス交通車両の充電システムによれば、蓄電装置を搭載した車両が軌道上の駅で停車した際に前記車両の前記蓄電装置を地上側に設けられた充電装置により充電する架線レス交通車両の充電システムにおいて、前記充電装置が、制御手段を備えており、該制御手段が、前記蓄電装置の最高電圧許容値近傍の電圧設定値で前記蓄電装置を充電するように制御し、前記電圧設定値が以下の第２の式を満たす値で設定される。
［第２の式］
ＶＳｍ  ≦  ＶＬｍ
但し、ＶＳｍは、前記電圧設定値と最高電圧許容値との間のマージンであり、ＶＬｍは、車両運行時の蓄電装置の電圧値の最低値と最低電圧許容値との間のマージンである。
本発明によれば、駅から出発する時点の蓄電装置の電圧値が従来に比べて高くなる。これにより、車両が駅から出発した際に蓄電装置の電圧値が最低電圧許容値に向かって大きく下がった場合でも、蓄電装置の電圧値が蓄電装置の最低電圧許容値に対して十分なマージンを確保することができ、使用状況や環境により蓄電装置の電圧値が最低電圧許容値より小さくなるおそれがない。
このように、車両が複数の駅間を走行する場合において蓄電装置を許容電圧値の範囲内でより長い期間にわたって使用できるようになり、蓄電装置の寿命を延ばすことができる。
【手続補正９】
【補正対象書類名】明細書
【補正対象項目名】００１９
【補正方法】変更
【補正の内容】
【００１９】
また、本発明に係る架線レス交通車両の充電システムによれば、前記制御手段が、前記車両の力行時の前記蓄電装置の電圧値が前記蓄電装置の最低電圧許容値より大きくなり且つ前記車両の回生ブレーキ時の前記蓄電装置の電圧値が前記蓄電装置の最高電圧許容値より小さくなるような電圧設定値で前記蓄電装置を充電するように制御し、前記電圧設定値は、前記車両の力行時に最低電圧許容値に対して５から３０％分のマージンが確保され、且つ前記車両の回生ブレーキ時に最高電圧許容値に対して５から３０％分のマージンが確保されるような値であるので、例えば、車両が海抜の高い駅から海抜の低い駅に向かって出発した際に蓄電装置の電圧値が最高電圧許容値に向かって大きく上がった場合でも、蓄電装置の電圧値は蓄電装置の最高電圧許容値に対して十分なマージンを確保することができ、使用状況や環境により蓄電装置の電圧値が最高電圧許容値より大きくなるおそれがない。
このように、車両が高低差のある複数の駅間を走行する場合において蓄電装置を許容電圧値の範囲内でより長い期間にわたって使用できるようになり、蓄電装置の寿命を延ばすことができる。